(57)【特許請求の範囲】
【請求項１】
内部に駆動用コイルと、この駆動用コイルの一端に共通端子を接続した２接点の補助切換スイッチと、この補助切換スイッチの一方の接点にアノードを接続したオフ駆動用ダイオードと、補助切換スイッチの他方の接点にカソードを接続しオフ駆動用ダイオードのカソードにアノードを接続したオン駆動用ダイオードとからなる直列回路を備え、補助切換スイッチを介して直列接続されるオン駆動用ダイオードを介して駆動用コイルに励磁電流が流れると、主接点をオンさせ且つ補助切換スイッチを反転させ、オフ駆動用ダイオードを介して駆動用コイルに励磁電流が流れると主接点をオフさせ且つ補助切換スイッチを反転させ、動作状態を保持するリモコンブレーカを制御する制御装置において、リモコンブレーカの上記直列回路の一端に共通端子を接続した切換型の第１のリレー接点を有する第１のリレーと、第１のリレー接点の常閉側にオフ駆動用ダイオードと順方向となるようにアノードを接続した第１のダイオードと、この第１のダイオードのカソードにアノードを接続しカソードを上記第１のリレー接点の常開側に接続した第２のダイオードと、これら第１、第２のダイオードの接続点と交流電源との間に挿入され、自動、試験の各選択時にオンする動作選択用の第１のスイッチ手段と、リモコンブレーカの上記直列回路の他端と交流電源の他端との間に常開の第２のリレー接点を挿入し、この第２のリレー接点とリモコンブレーカの上記直列回路の他端との接続点と上記第１のリレー接点の常閉側との間に強制復帰用コンデンサと第１のリレー接点から見て順方向の第３のダイオードとを介して接続した常閉の第３のリレー接点を挿入した第２のリレーと、第３のダイオードと第３のリレー接点との直列回路に逆並列接続した第４のダイオードと、上記第１のスイッチ手段の選択動作に連動し、試験選択時には第１のリレーの励磁コイルに対して交流電源を接続し、自動選択時には外部接点を介して第１のリレーの励磁コイルを交流電源に接続する第２のスイッチ手段とを備えたものであって、上記第１、第２のダイオードの接続点と第１のリレー接点の共通端子との間に限流用の抵抗と互いに逆並列接続した二つの発光ダイオードとの直列回路からなる表示回路をダイオードブリッジを介して接続し、このダイオードブリッジの出力端間に第２のリレーの励磁コイルを接続するとともに、第１のリレーの励磁コイルが同時に励磁された場合に第１のリレーの動作よりも第２のリレーの動作を遅延させる遅延要素を第２のリレーの励磁回路に設け、上記第２のリレー接点に並列に第１のスイッチ手段がオンとなった時に短時間だけ第２のリレー接点を短絡するスイッチ要素を備えたことを特徴とするリモコンブレーカの制御装置。
【請求項２】
リモコンブレーカを制御する制御装置において、リモコンブレーカの直列回路の一端に共通端子を接続した切換型の第１のリレー接点を有する第１のリレーと、第１のリレー接点の常閉側にオフ駆動用ダイオードと順方向となるようにアノードを接続した第１のダイオードと、この第１のダイオードのカソードにアノードを接続しカソードを上記第１のリレー接点の常開側に接続した第２のダイオードと、これら第１、第２のダイオードの接続点と交流電源との間に挿入され、自動、試験の各選択時にオンする動作選択用の第１のスイッチ手段と、リモコンブレーカの上記直列回路の他端と交流電源の他端との間に常開の第２のリレー接点を挿入し、この第２のリレー接点とリモコンブレーカの上記直列回路の他端との接続点と上記第１のリレー接点の常閉側との間に強制復帰用コンデンサと第１のリレー接点から見て順方向の第３のダイオードとを介して接続した常閉の第３のリレー接点を挿入した第２のリレーと、第３のダイオードと第３のリレー接点との直列回路に逆並列接続した第４のダイオードと、上記第１のスイッチ手段の選択動作に連動し、試験選択時には第１のリレーの励磁コイルに対して交流電源を接続し、自動選択時には外部接点を介して第１のリレーの励磁コイルを交流電源に接続する第２のスイッチ手段とを備えたものであって、上記第１、第２のダイオードの接続点と第１のリレー接点の共通端子との間に限流用の抵抗を介してダイオードブリッジを接続し、このダイオードブリッジの出力端間に第２のリレーの励磁コイルを接続するとともに、第１のリレーの励磁コイルが同時に励磁された場合に第１のリレーの動作よりも第２のリレーの動作を遅延させる遅延要素を第２のリレーの励磁回路に設け、一方の出力端に一端が接続されている上記ダイオードブリッジの二つの辺に表示回路を構成する発光ダイオードを各別に順方向に挿入し、上記第２のリレー接点に並列に第１のスイッチ手段がオンとなった時に短時間だけ第２のリレー接点を短絡するスイッチ要素を備えたことを特徴とするリモコンブレーカの制御装置。
【発明の詳細な説明】
【０００１】
【産業上の利用分野】
本発明は、接続したセンサーや外部操作手段等の外部接点のオン、オフに応じて自動的にリモコンブレーカをオン、オフ制御するリモコンブレーカの制御装置に関するものである。
【０００２】
【従来の技術】
図６は従来のリモコンブレーカの制御装置の回路を示しており、この従来例装置は図７に示すように器体１にリモコンブレーカ２の両端を接続する接続端子(1)、(2)と、リモコンブレーカ２に内蔵せるトリップ機構のトリップ動作時の警報用接点ＡＬを接続する警報接点接続端子(3)、(4)と、交流電源ＡＣを接続する電源端子(5)、(6)と、センサー等の外部接点ＳＷ１  を電源端子(5)との間で接続する外部接点接続用端子(7)等を備え、外部から交流電源ＡＣを接続するとともに外部設置のリモコンブレーカ２と、センサーや外部操作スイッチ等の外部接点ＳＷ１  を接続するようになっている。なお、括弧つき数字は、図面では○内に数字を入れて示してある。
【０００３】
リモコンブレーカ２の動作回路は上記接続端子(1)、(2)に夫々接続する端子を備えた２端子構成となっており、一方の端子に駆動用コイル２１の一端を接続し、他方の端子にはカソードを補助切換スイッチ２２のａ接点に接続したダイオードＤａのアノードを、またアノードを補助切換スイッチ２２のｂ接点に接続したダイードＤｂのカソードを夫々接続し、補助切換スイッチ２２の共通端子を上記駆動用コイル２１の他端に接続している。駆動用コイル２１は励磁方向が切り換わる度に駆動機構（図示せず）を反転動作させるものである。駆動機構は反転動作の度に上記補助切換スイッチ２２を交互に切換え駆動するとともに主接点２３をオン、オフ駆動するもので、励磁電流が無くなってもその動作状態を永久磁石を用いた磁気保持機構で保持するようになっている。
【０００４】
主接点２３はブレーカとして設けてあるトリップ機構（図示せず）にも連動し、トリップ機構のトリップ動作時に強制オフされる。警報用接点ＡＬはトリップ機構のトリップ動作に連動してオン動作するものである。
【０００５】
制御装置の器体１内の回路は電源端子(5)、(6)間に、接続端子(3)、(4)に接続した警報用接点ＡＬ、抵抗Ｒ１  ，ホトカプラＰＣ１  の発光ダイオードＬＥＤ１  ，ダイオードＤ１  の直列回路を接続するとともに、電源端子(5)と端子(7)との間に接続する外部接点ＳＷ１  と、３接点の動作選択スイッチＳＷ１１の「自動」側の接点Ｓ１１側回路と、リレーＸ１  の励磁コイルとの直列回路を接続し、また更に動作選択スイッチＳＷ１１の「試験」側の接点Ｓ１３と、リレーＸ１  の励磁コイルとの直列回路を接続してある。
【０００６】
また上記動作選択スイッチＳＷ１１と連動する３接点の動作選択スイッチＳＷ１２の共通端子と、「自動」側の接点Ｓ２１、又は「試験」側の接点Ｓ２３とを介して降圧トランスＴｒの１次巻線を電源端子(5)，(6)に接続してある。
【０００７】
降圧トランスＴｒの２次側にはダイオードブリッジＤＢ１  と平滑コンデンサＣ１  とで整流平滑された直流を電源とする表示回路３を接続している。
【０００８】
リモコンブレーカ２を接続する接続端子(1)と動作選択スイッチＳＷ１２の接点Ｓ２１、Ｓ２３の共通接続点との間には接続端子(1)から見て順方向のホトカプラＰＣ２  の発光ダイオードＬＥＤ２  、ダイオードＤ２  の直列回路を抵抗Ｒ２  を介して接続し、また接続端子(2)と電源端子(6)との間には電源端子(6)から見て純方向のダイオードＤ７  を接続し、またこのダイオードＤ７  にはダイオードＤ７  と逆方向のダイオードＤ８  を上記リレーＸ１  の常開のリレー接点ｘ１０を介して並列に接続している。
【０００９】
上記抵抗Ｒ２  、ホトカプラＰＣ２  の発光ダイオードＬＥＤ２  、ダイオードＤ２  の直列回路には、ダイオードＤ３  をリレーＸ１  の別のリレー接点ｘ１１の常開側接点を介して逆方向に並列接続し、またダイオードＤ４  をリレー接点ｘ１１の常閉側接点を介して順方向に並列接続し、このダイオードＤ４  とリレー接点ｘ１１の常閉側接点との接続点と、上記ダイオードＤ７  のカソードと接続端子(2)との接続点との間には抵抗Ｒ３  、ダイオードＤ６  、抵抗Ｒ４  の直列回路とを接続してある。抵抗Ｒ４  にはコンデンサＣ２  を並列に、また抵抗Ｒ３  、ダイオードＤ６  の直列回路にはダイオードＤ５  を上記リレーＸ１  の他の常閉のリレー接点ｘ１２を介して逆並列接続してある。
【００１０】
次に図６の回路の動作を説明する。
【００１１】
今、外部接点ＳＷ１  がオフ状態で且つ電源端子(5)，(6)に交流電源ＡＣを接続している状態で、動作選択スイッチＳＷ１１，ＳＷ１２を器体１の表面に設けた操作ハンドル６により「切」側の接点Ｓ１２、Ｓ２２側から「自動」側の接点Ｓ１１，Ｓ２１に切換えると、動作選択スイッチＳＷ１２を介して降圧トランスＴｒには交流電源ＡＣが接続される。一方リレーＸ１  には外部接点ＳＷ１  がオフ状態であるため励磁電流が流れず、各リレー接点ｘ１０乃至ｘ１２は図示する状態にある。またリモコンブレーカ２の駆動コイル２１には励磁電流は流れず、オフ状態を保つ。更に交流電源ＡＣ→電源端子(6)→ダイオードＤ７  →抵抗Ｒ３  →ダイオードＤ６  →コンデンサＣ２  →ダイオードＤ４  →動作選択スイッチＳＷ１２→電源端子(5)→交流電源ＡＣの経路でコンデンサＣ２  を充電し、次の半波では高抵抗値の抵抗Ｒ４  を介してコンデンサＣ２  の電荷を微小放電させる。この時ホトカプラＰＣ２  の発光ダイオードＬＥＤ２  には電流が流れないためホトカプラＰＣ２  のホトトランジスタＰＴ２  はオフ状態にある。
【００１２】
表示回路３では、ホトカプラＰＣ２  のホトトランジスタＰＴ２  をベースバイアス回路に挿入してあるトランジスタＱ２  がオフ状態にあり、そのため平滑コンデンサＣ１  に抵抗Ｒ９  、トランジスタＱ２  を介して接続してある運転状態表示用の発光ダイオードＬＥＤｂは消灯状態にある。
【００１３】
またベースバイアス回路の抵抗Ｒ７  、Ｒ８  の直列回路に上記トランジスタＱ２  をダイオードＤ９  を介して並列に接続してあるトランジスタＱ１  は、トランジスタＱ２  がオフしているため、抵抗Ｒ６  乃至Ｒ８  のベースバイアス回路によりベース電流が流れてオンする。このオンにより抵抗Ｒ５  と、トランジスタＱ１  とを介して平滑コンデンサＣ１  に並列接続している運転停止状態表示用の発光ダイオードＬＥＤａが点灯して負荷５の運転が停止中であることを表示する。
【００１４】
さて上記状態において、外部接点ＳＷ１  がオンすると、交流電源ＡＣ→電源端子(5)→外部接点ＳＷ１  →端子(7)→動作選択スイッチＳＷ１１→リレーＸ１  の励磁コイルの経路に電流が流れ、リレーＸ１  が動作することになる。リレーＸ１  の動作によりリレー接点ｘ１０がオンするとともに、リレー接点ｘ１２がオフ、リレー接点ｘ１１が常閉から常開側に切り換わる。
【００１５】
従って交流電源ＡＣ→電源端子(5)→動作選択スイッチＳＷ１２→ダイオードＤ３  →リレー接点ｘ１１の常開側→接続端子(1)→リモコンブレーカ２のダイオードＤａ→補助切換スイッチ２２のａ接点→駆動用コイル２１→接続端子(2)→リレー接点ｘ１０→ダイオードＤ８  →電源端子(6)→交流電源ＡＣの経路でリモコンブレーカ２の駆動用コイル２１に励磁電流が流れ、リモコンブレーカ２は主接点２３をオンさせるとともに、補助切換スイッチ２２をｂ接点側に反転させる。
【００１６】
ここで上記の駆動用コイル２１の励磁電流を流す回路には補助切換スイッチ２２の切り換わりにより電流の流れとは逆向きのダイオードＤｂが挿入されるため、上記励磁電流は流れなくなるが、交流電源ＡＣ→電源端子(6)→ダイオードＤ７  →接続端子(2)→駆動用コイル２１→補助切換スイッチ２２のｂ接点→ダイオードＤｂ→接続端子(1)→抵抗Ｒ２  →ホトカプラＰＣ２ の発光ダイオードＬＥＤ２  →動作選択スイッチＳＷ１２→電源端子(5)→交流電源ＡＣの経路で電流が流れる。この場合大きな抵抗値を持つ抵抗Ｒ２  が電流経路に挿入されるため、リモコンブレーカ２が反転動作するのに必要な励磁電流が流れず、リモコンブレーカ２は上記動作状態を保持したままとなる。
【００１７】
一方この電流はホトカプラＰＣ２  の発光ダイオードＬＥＤ２  を十分に発光させるだけの大きさを有するものと設定されているため、表示回路３に設けたホトカプラＰＣ２  のホトトランジスタＰＴ２  がオン動作し、このオン動作により上記平滑コンデンサＣ１  に並列に接続してあるホトトランジスタＰＴ２  、抵抗Ｒ１２、抵抗Ｒ１３、コンデンサＣ３  の直列回路に電流が流れる。そしてコンデンサＣ３  の電圧が高くなるとトランジスタＱ２  にベース電流が流れてオン動作し発光ダイオードＬＥＤｂを点灯させる。同時にトランジスタＱ１  のベース電流をトランジスタＱ２  がバイパスするためトランジスタＱ１  はオフ状態となり、発光ダイオードＬＥＤａを消灯させる。
【００１８】
発光ダイオードＬＥＤｂの点灯はリモコンブレーカ２の主接点２３がオンとなって、主接点２３に接続されているポンプ等の負荷５が運転中であることを示す。
【００１９】
このオン動作状態でも、ダイオードＤ７  →抵抗Ｒ３  →ダイオードＤ６  →コンデンサＣ２  →ダイオードＤ４  の経路で電流が流れてコンデンサＣ２  を充電する。
【００２０】
さてこの状態で外部接点ＳＷ１  が再びオフすると、リレーＸ１  の各リレー接点ｘ１０乃至ｘ１２が図示する状態に戻ることになる。従って交流電源ＡＣ→電源端子(6)→ダイオードＤ７  →接続端子(2)→駆動用コイル２１→補助切換スイッチ２２のｂ接点→ダイオードＤｂ→リレー接点ｘ１１の常閉側→ダイオードＤ４  →動作選択スイッチＳＷ１２→電源端子(5)→交流電源ＡＣの経路で電流が流れる。そのためリモコンブレーカ２の駆動用コイル２１に励磁電流が流れ、リモコンブレーカ２は主接点２３をオフさせるとともに、補助切換スイッチ２２をａ接点側に反転させて図６の状態に戻ることになる。
【００２１】
このように制御装置では動作選択スイッチＳＷ１１，ＳＷ１２を自動側に切り換えると外部接点ＳＷ１  のオン、オフに応じてリモコンブレーカ２をオン、オフ動作させ、その主接点２３に接続されている負荷５をオンオフすることができるのである。
【００２２】
また外部接点ＳＷ１  がオン状態になっている状態で停電が起きると、リレーＸ１  の励磁が止まるため、図６の状態に戻ることになるが、コンデンサＣ２  の充電電荷がコンデンサＣ２  →ダイオードＤ５  →リレー接点ｘ１２→駆動用コイル２１→補助切換スイッチ２２のｂ接点→ダイオードＤｂ→リレー接点ｘ１１の常閉側→コンデンサＣ２  の経路で放電し、リモコンブレーカ２は上述の外部接点ＳＷ１  のオフ時と同様に反転動作して図６の状態に戻ることになる。つまりコンデンサＣ２  が強制復帰のための電源となり、停電等が起きた場合には必ずリモコンブレーカ２を強制的にオフ状態に戻すようになっている。
【００２３】
尚動作選択スイッチＳＷ１１，ＳＷ１２を「試験」側に投入した場合には、外部接点ＳＷ１  のオフ状態に関係なく、リレーＸ１  を動作させてリモコンブレーカ２を上記の「自動」で外部接点ＳＷ１  がオン状態である場合と同様にリモコンブレーカ２をオン駆動することができる。また試験或いは自動から「切」側に動作選択スイッチＳＷ１１，ＳＷ１２を切り換えると、停電時と同様にリモコンブレーカ２をコンデンサＣ２  の電荷でオフ駆動することができる。
【００２４】
またオン状態にあるリモコンブレーカ２において過電流等の異常発生により、トリップ機構がトリップ動作すると、警報用接点ＡＬがオンし、この警報用接点ＡＬを介して交流電源ＡＣに接続されているホトカプラＰＣ１  の発光ダイオードＬＥＤ１  に電流が流れてホトカプラＰＣ１  のホトトランジスタＰＴ１  がオン動作する。ホトトランジスタＰＴ１  は表示回路３内において無安定マルチバイブレータ回路４の電源路に挿入してあるトランジスタＱ３  のベースバイアス回路のコンデンサＣ４  を充電し、このコンデンサＣ４  の電圧が所定レベルに達するとトランジスタＱ３  がオンする。このオンにより無安定マルチバイブレータ回路４が発振動作を開始してトランジスタＱ４  ，Ｑ５  を交互にオンオフし、トランジスタＱ５  に直列挿入してある発光ダイオードＬＥＤｃに断続的に発光電流を流し、発光ダイオードＬＥＤｃを点滅させる。
【００２５】
この点滅によりリモコンブレーカ２のトリップが表示されることになる。
【００２６】
尚表示回路３の発光ダイオードＬＥＤａ乃至ＬＥＤｃはそれぞれ器体１の表面に露設され、外部から視認できるようになっている。
【００２７】
【発明が解決しようとする課題】
上記の従来例回路では、リレーＸ１  の励磁電流が遮断されてリレーＸ１  がオフに戻る際にリレーＸ１  内のリレー接点ｘ１０〜ｘ１２の動作にばらつきがあって、例えばリレー接点ｘ１１が常閉側から常開側に切り換わる際にアークが発生して常閉、常開の接点間で短絡が生じ、例えばダイオードＤ３  →リレー接点ｘ１１→コンデサンサＣ２  →ダイオードＤ５  →リレー接点ｘ１２→リレー接点ｘ１０、ダイオードＤ８  の回路で大電流が流れて接点溶着や、短絡事故の発生する恐れがあった。
【００２８】
また表示回路３、特に発光ダイオードＬＥＤａ，ＬＥＤｂを点灯制御する回路は複雑で、製作コストが高く、また大型化するという問題があった。
【００２９】
さらに発光ダイオードＬＥＤａ，ＬＥＤｂの消費電流の点においても不利であった。
【００３０】
本発明は上記問題点に鑑みて為されたもので、請求項１の発明の目的とするところは表示回路の構成が簡単で、しかもリレー接点にアークが生じず安定した動作を得ることができるリモコンブレーカの制御装置を提供するにある。
【００３１】
請求項２、３の発明の目的とするところは、請求項１の発明の目的に加えて、消費電流を押さえることができるリモコンブレーカの制御装置を提供するにある。
【００３２】
【課題を解決するための手段】
上記目的を達成するために請求項１の発明では、内部に駆動用コイルと、この駆動用コイルの一端に共通端子を接続した２接点の補助切換スイッチと、この補助切換スイッチの一方の接点にアノードを接続したオフ駆動用ダイオードと、補助切換スイッチの他方の接点にカソードを接続しオフ駆動用ダイオードのカソードにアノードを接続したオン駆動用ダイオードとからなる直列回路を備え、補助切換スイッチを介して直列接続されるオン駆動用ダイオードを介して駆動用コイルに励磁電流が流れると、主接点をオンさせ且つ補助切換スイッチを反転させ、オフ駆動用ダイオードを介して駆動用コイルに励磁電流が流れると主接点をオフさせ且つ補助切換スイッチを反転させ、動作状態を保持するリモコンブレーカを制御する制御装置において、リモコンブレーカの上記直列回路の一端に共通端子を接続した切換型の第１のリレー接点を有する第１のリレーと、第１のリレー接点の常閉側にオフ駆動用ダイオードと順方向となるようにアノードを接続した第１のダイオードと、この第１のダイオードのカソードにアノードを接続しカソードを上記第１のリレー接点の常開側に接続した第２のダイオードと、これら第１、第２のダイオードの接続点と交流電源との間に挿入され、自動、試験の各選択時にオンする動作選択用の第１のスイッチ手段と、リモコンブレーカの上記直列回路の他端と交流電源の他端との間に常開の第２のリレー接点を挿入し、この第２のリレー接点とリモコンブレーカの上記直列回路の他端との接続点と上記第１のリレー接点の常閉側との間に強制復帰用コンデンサと第１のリレー接点から見て順方向の第３のダイオードとを介して接続した常閉の第３のリレー接点を挿入した第２のリレーと、第３のダイオードと第３のリレー接点との直列回路に逆並列接続した第４のダイオードと、上記第１のスイッチ手段の選択動作に連動し、試験選択時には第１のリレーの励磁コイルに対して交流電源を接続し、自動選択時には外部接点を介して第１のリレーの励磁コイルを交流電源に接続する第２のスイッチ手段とを備えたものであって、上記第１、第２のダイオードの接続点と第１のリレー接点の共通端子との間に限流用の抵抗と互いに逆並列接続した二つの発光ダイオードとの直列回路からなる表示回路をダイオードブリッジを介して接続し、このダイオードブリッジの出力端間に第２のリレーの励磁コイルを接続するとともに、第１のリレーの励磁コイルが同時に励磁された場合に第１のリレーの動作よりも第２のリレーの動作を遅延させる遅延要素を第２のリレーの励磁回路に設け、上記第２のリレー接点に並列に第１のスイッチ手段がオンとなった時に短時間だけ第２のリレー接点を短絡するスイッチ要素を備えたことを特徴とする。
【００３４】
請求項２の発明では、上記リモコンブレーカを制御する制御装置において、リモコンブレーカの上記直列回路の一端に共通端子を接続した切換型の第１のリレー接点を有する第１のリレーと、第１のリレー接点の常閉側にオフ駆動用ダイオードの順方向となるようにアノードを接続した第１のダイオードと、この第１のダイオードのカソードにアノードを接続しカソードを上記第１のリレー接点の常開側に接続した第２のダイオードと、これら第１、第２のダイオードの接続点と交流電源との間に挿入され、自動、試験の各選択時にオンする動作選択用の第１のスイッチ手段と、リモコンブレーカの上記直列回路の他端と交流電源の他端との間に常開の第２のリレー接点を挿入し、この第２のリレー接点とリモコンブレーカの上記直列回路の他端との接続点と上記第１のリレー接点の常閉側との間に強制復帰用コンデンサと第１のリレー接点から見て順方向の第３のダイオードとを介して接続した常閉の第３のリレー接点を挿入した第２のリレーと、第３のダイオードと第３のリレー接点との直列回路に逆並列接続した第４のダイオードと、上記第１のスイッチ手段の選択動作に連動し、試験選択時には第１のリレーの励磁コイルに対して交流電源を接続し、自動選択時には外部接点を介して第１のリレーの励磁コイルを交流電源に接続する第２のスイッチ手段とを備えたものであって、上記第１、第２のダイオードの接続点と第１のリレー接点の共通端子との間に限流用の抵抗を介してダイオードブリッジを接続し、このダイオードブリッジの出力端間に第２のリレーの励磁コイルを接続するとともに、第１のリレーの励磁コイルが同時に励磁された場合に第１のリレーの動作よりも第２のリレーの動作を遅延させる遅延要素を第２のリレーの励磁回路に設け、一方の出力端に一端が接続されている上記ダイオードブリッジの二つの辺に表示回路を構成する発光ダイオードを各別に順方向に挿入し、上記第２のリレー接点に並列に第１のスイッチ手段がオンとなった時に短時間だけ第２のリレー接点を短絡するスイッチ要素を備えたことを特徴とするものである。
【００３５】
【作用】
請求項１及び請求項２の発明によれば、第１のリレーの動作よりも第２のリレーの動作が遅延するため、第１のリレーの第１のリレー接点の切り換わり動作時に第１のリレー接点にアークを生じさせる通電路が形成されないため、安定した動作が得られる。また表示回路は発光ダイオードと限流用の抵抗とで構成されるため、回路構成が簡単になり、そのため製作コストの低減が図れ、また装置の小型化も可能となる。
【００３６】
さらに、第２のリレーの励磁コイルの励磁回路を表示回路の通電路内に設けているため、表示回路の発光ダイオードの発光電流を励磁電流として使用でき、その結果全体として消費電流を低減できる。
【００３７】
【実施例】
以下、本発明の基本例及び実施例を図面を参照して説明する。
【００３８】
（基本例）
図１は本基本例の回路を示しており、本基本例では、二つのリレーＸ１  、Ｘ２  を備えたもので、リレーＸ１  はリモコンブレーカ２を反転動作させるためのリレー接点ｘ１１を有し、リレーＸ２  は停電復帰用のコンデンサＣ２  の充・放電経路を形成するためのリレー接点ｘ２１，ｘ２２を有する。
【００３９】
つまり本基本例では電源端子(5)，(6)の間に外部接点ＳＷ１  と、動作選択スイッチＳＷ１１の「自動」側の接点Ｓ１１と、ダイオードＤ２０  と、抵抗Ｒ１０と、リレーＸ１  の励磁コイルと、ダイオードＤ２１との直列回路を接続し、リレーＸ１  の励磁コイルには並列にコンデンサＣ１０を接続している。また電源端子(5)と動作選択スイッチＳＷ１１の「試験」側接点との間は短絡され、また上記ダイオードＤ２１のアノードと電源端子(5)の間には動作選択スイッチＳＷ１２の「自動」側接点Ｓ２１又は「試験」側接点Ｓ２３を介してダイオードＤ２２、抵抗Ｒ１１、リレーＸ２  の励磁コイルの直列回路が接続されている。リレーＸ２  の励磁コイルには並列にコンデンサＣ１１を接続している。
【００４０】
ここで抵抗Ｒ１０、Ｒ１１は同一抵抗値の抵抗を用い、コンデンサＣ１０，Ｃ１１はコンデンサＣ１１の容量をコンデンサＣ１０の容量よりも大きくしてある。
【００４１】
従って動作選択スイッチＳＷ１１，ＳＷ１２を「切」側の接点Ｓ１２，Ｓ２２から「試験」側の接点Ｓ１３，Ｓ２３に投入した場合、或いは外部接点ＳＷ１  がオン状態で動作選択スイッチＳＷ１１，ＳＷ１２を「切」側から「自動」側に投入した場合、リレーＸ２  の動作がリレーＸ１  の動作よりも遅延し、また「試験」側から「切」側に、或いは動作中に「自動」から「切」に切り換えたとき、或いは動作中に停電した場合にはリレーＸ１  の復帰がリレーＸ２  の復帰よりも早くなる。
【００４２】
さてダイオードＤ２２、抵抗Ｒ１１、リレーＸ２  の励磁コイルの直列回路には、接続端子(3)、(4)間に接続される警報用接点ＡＬと、ダイオードＤ２３と抵抗Ｒ１２、Ｒ１３とコンデンサＣ１２との直列回路を接続し、コンデンサＣ１２には抵抗Ｒ１４を介してツェナーダイオードＺＤ１  を並列に接続し、更にこのツェナーダイオードＺＤ１  に警報表示用の発光ダイオードＬＥＤｃを点滅駆動するためのトランジスタＱ４  、Ｑ５  等から構成される無安定マルチバイブレータ回路４を接続している。
【００４３】
つまりリモコンブレーカ２がオン動作中にトリップ動作して警報用接点ＡＬがオンすると、電源端子(5)，(6)間に接続している交流電源ＡＣから動作選択スイッチＳＷ１２の「自動」或いは「試験」側の接点Ｓ２１或いはＳ２３と警報用接点ＡＬを通じてダイオードＤ２３に流れて半波整流され、更にコンデンサＣ１２により平滑された後ツェナーダイオードＺＤ１  により一定化される。無安定マルチバイブレータ回路４はツェナーダイオードＺＤ１  により一定化された直流を電源としてトランジスタＱ４  ，Ｑ５  を交互にオンオフする発振動作を行い、トランジスタＱ４  に直列接続してある発光ダイオードＬＥＤｃを点滅させ、従来例と同様にトリップ動作を表示する。
【００４４】
接続端子(2)と電源端子(6)との間にはリレーＸ２  の常開のリレー接点ｘ２１を直列に挿入している。そして接続端子(1)と、動作選択スイッチＳＷ１２の接点Ｓ２１，Ｓ２３の接続点との間には接続点からみて、順方向となるように運転停止状態表示用の発光ダイオードＬＥＤａとダイオードＤ２４と抵抗Ｒ１５との直列回路を接続し、発光ダイオードＬＥＤａとダイオードＤ２４との直列回路に逆並列にダイオードＤ２５と運転状態表示用の発光ダイオードＬＥＤｂとの直列回路を接続している。これらの回路が表示回路を構成することになる。
【００４５】
また図５の従来例回路と同様にリレーＸ１  のリレー接点ｘ１１の共通端子を接続端子(1)に接続し、常開側の接点と動作選択スイッチＳＷ１２の接点Ｓ２１，Ｓ２３の接続点との間に該接続点から見て順方向にダイオードＤ３  を、また常閉側の接点と動作選択スイッチＳＷ１２の接点Ｓ２１，Ｓ２３の接続点との間に該接続点から見て逆方向にダイオードＤ４  を接続し、リモコンブレーカ２の切換回路を構成している。
【００４６】
更にリレー接点ｘ１１の常閉側と接続端子(2)との間には図５の従来例回路と同様にリモコンブレーカ２を停電時にオフ駆動するための電源となるコンデンサＣ２  とダイオードＤ５  との直列回路をリレーＸ２  の常閉のリレー接点ｘ２２を介して接続し、ダイオードＤ５  とリレー接点ｘ２２との直列回路にはダイオードＤ６  と抵抗Ｒ３  との直列回路を逆方向に並列接続し、コンデンサＣ２  には高抵抗値の抵抗Ｒ４  を並列接続している。
【００４７】
ここで本基本例で使用するリモコンブレーカ２は図示するようにトリップ機構（図示せず）がトリップ動作したときにオフするトリップ接点２０を駆動用コイル２１に直列接続したものを使用するがリモコンブレーカ２は基本的には従来例と同じ機能を持つもので、過電流検出等の異常時にトリップ動作するトリップ機構と、このトリップ機構のトリップ動作に連動して強制的にオフされ、トリップ機構がリセットされるまでオフ状態を維持する主接点２３と、トリップ機構がリセットされた状態下において、駆動用コイル２１の励磁方向により補助切換スイッチ２２を反転駆動するとともに主接点２３を反転駆動する磁気保持型の駆動機構（図示せず）を備えているのは勿論である。
【００４８】
次に図１の回路の動作を説明する。
【００４９】
今、外部接点ＳＷ１  がオフ状態で且つ、電源端子(5)，(6)に交流電源ＡＣが接続されている状態で、動作選択スイッチＳＷ１１，ＳＷ１２を「切」側接点Ｓ１２，Ｓ２２側から「自動」側接点Ｓ１１，Ｓ２１に切換接続すると、交流電源ＡＣ→動作選択スイッチＳＷ１２の「自動」側接点Ｓ２１→ダイオードＤ２２→抵抗Ｒ１１→コンデンサＣ１１→ダイオードＤ２１→電源端子(6)→交流電源ＡＣの経路で電流が流れてコンデンサＣ１１を充電する。このコンデンサＣ１１の電圧が所定レベルに上昇するとこのコンデンサＣ１１に並列に接続してあるリレーＸ２  が動作して、そのリレー接点ｘ２１をオン、リレー接点ｘ２２をオフする。
【００５０】
従って電源端子(5)がプラスとなる交流電源ＡＣの半サイクルでは交流電源ＡＣ→動作選択スイッチＳＷ１２→発光ダイオードＬＥＤａ→ダイオードＤ２４→抵抗Ｒ１５→接続端子(1)→リモコンブレーカ２のダイオードＤａ→補助切換スイッチ２２→駆動用コイル２１→トリップ接点２０→リレー接点ｘ２１→電源端子(6)→交流電源ＡＣの経路で電流が流れて、発光ダイオードＬＥＤａが発光し、リモコンブレーカ２の主接点２３がオフで負荷５が運転停止中であることを表示する。ここで上記電流の大きさは抵抗Ｒ１５で制限を受けるためリモコンブレーカ２の駆動機構を反転動作させるのに必要な電流は流れず、駆動用コイル２１に電流が流れてもリモコンブレーカ２は現在の動作状態を維持する。
【００５１】
また電源端子(6)側がプラスとなる交流電源ＡＣの半サイクルでは交流電源ＡＣ→リレー接点ｘ２１→ダイオードＤ６  →抵抗Ｒ３  →コンデンサＣ２  →ダイオードＤ４  →動作選択スイッチＳＷ１２→電源端子(5)→交流電源ＡＣの経路で電流が流れコンデンサＣ２  が充電される。電源端子(6)側がマイナスとなる半サイクルでは高抵抗値の抵抗Ｒ４  を介してコンデンサＣ２  の電荷を微小放電させるが、完全には放電されない。
【００５２】
さて上記状態において、外部接点ＳＷ１  がオンすると、交流電源ＡＣ→電源端子(5)→外部接点ＳＷ１  →端子(7)→動作選択スイッチＳＷ１１→ダイオードＤ２０→抵抗Ｒ１０→コンデンサＣ１０→ダイオードＤ２１→電源端子(6)→交流電源ＡＣの経路で電流が流れコンデンサＣ１０を充電する。このコンデンサＣ１０の電圧が所定レベルに上昇するとリレーＸ１  が動作し、そのリレー接点ｘ１１が常閉から常開側に切り換わる。
【００５３】
従って交流電源ＡＣ→電源端子(5)→動作選択スイッチＳＷ１２→ダイオードＤ３  →リレー接点ｘ１１の常開側→接続端子(1)→リモコンブレーカ２のダイオードＤａ→補助切換スイッチ２２→駆動用コイル２１→トリップ接点２０→接続端子(2)→リレー接点ｘ２１→電源端子(6)→交流電源ＡＣの経路でリモコンブレーカ２の駆動用コイル２１に励磁電流が流れ、リモコンブレーカ２は主接点２３をオンさせるとともに、補助切換スイッチ２２をｂ接点側に反転させる。
【００５４】
ここで上記の駆動用コイル２１の励磁電流を流す回路には補助切換スイッチ２２ の切り換わりにより逆向きのダイオードＤｂが挿入されるため、上記励磁電流は流れなくなる。しかし交流電源ＡＣ→電源端子(6)→リレー接点ｘ２１→接続端子(2)→トリップ接点２０→駆動用コイル２１→補助切換スイッチ２２のｂ接点→ダイオードＤｂ→接続端子(1)→抵抗Ｒ１５→ダイオードＤ２５→発光ダイオードＬＥＤｂ→動作選択スイッチＳＷ１２→電源端子(5)→交流電源ＡＣの経路で電流が流れ、発光ダイオードＬＥＤｂが点灯し、主接点２３のオンによる負荷５が運転中であることを表示する。
【００５５】
この場合大きな抵抗Ｒ１５が電流経路に挿入されるため、リモコンブレーカ２が反転動作するのに必要な大きな励磁電流が駆動用コイル２１には流れず、リモコンブレーカ２は上記動作状態を保持したままとなる。
【００５６】
このオン動作状態でも、ダイオードＤ６  →抵抗Ｒ３  →コンデンサＣ２  →ダイオードＤ４  の経路で電流が流れてコンデンサＣ２  を充電する。
【００５７】
さてこの状態で外部接点ＳＷ１  が再びオフすると、リレーＸ１  のリレー接点ｘ１１が図示する状態に戻ることになる。従って交流電源ＡＣ→電源端子(6)→リレー接点ｘ２１→接続端子(2)→トリップ接点２０→駆動用コイル２１→補助切換スイッチ２２のｂ接点→ダイオードＤｂ→リレー接点ｘ１１の常閉側→ダイオードＤ４  →動作選択スイッチＳＷ１２→電源端子(5)→交流電源ＡＣの経路でリモコンブレーカ２の駆動用コイル２１に励磁電流が流れ、リモコンブレーカ２は主接点２３をオフするとともに、補助切換スイッチ２２をａ接点側に反転させて図１の状態に戻ることになる。
【００５８】
このように動作選択スイッチＳＷ１１，ＳＷ１２を自動側に切り換えている場合、外部接点ＳＷ１  のオン、オフに応じてリモコンブレーカ２をオン、オフ動作させ、その主接点２３に接続されている負荷５をオンオフすることができるのである。
【００５９】
また外部接点ＳＷ１  がオン状態になっている状態で停電等が起きると、リレーＸ１  、Ｘ２  の励磁が止まるため、リレー接点ｘ１１、ｘ２１、ｘ２２は図１の状態に戻ることになるが、各リレーＸ１  ，Ｘ２  の励磁コイルに接続しているコンデンサＣ１０，Ｃ１１の容量がＣ１０＜Ｃ１１に設定しているためリレーＸ１  の復帰がリレーＸ２  の復帰よりも早くなり、リレー接点ｘ１１が常開から常閉に戻ってからリレー接点ｘ２１、ｘ２２が図示する状態に戻ることになる。さてリレーＸ１  ，Ｘ２  が復帰すると、コンデンサＣ２  の充電電荷がコンデンサＣ２  →ダイオードＤ５  →リレー接点ｘ２２→トリップ接点２０→駆動用コイル２１→補助切換スイッチ２２のｂ接点→ダイオードＤｂ→リレー接点ｘ１１の常閉側→コンデンサＣ２  の経路で放電し、リモコンブレーカ２は上述の外部接点ＳＷ１  のオフ時と同様に反転動作して図１の状態に戻ることになる。つまり必ず停電等が起きた場合にはリモコンブレーカ２をオフ状態に戻すことができる。
【００６０】
また動作選択スイッチＳＷ１１，ＳＷ１２を「試験」側に投入した場合には、外部接点ＳＷ１  のオフ状態に関係なく、リレーＸ１  ，Ｘ２  を動作させてリモコンブレーカ２を上記の「自動」で外部接点ＳＷ１  がオン状態である場合と同様にリモコンブレーカ２をオン駆動することができる。このときリレーＸ１  の動作がリレーＸ２  の動作よりも早いため、リレー接点ｘ１１にアークが発生せず、コンデンサＣ２  を通じて過大な電流が流れる経路ができず、安定した動作が得られる。この安定した動作は外部接点ＳＷ１  がオン状態で、動作選択スイッチＳＷ１１，ＳＷ１２を「自動」側に投入した場合においても同様に得られることになる。
【００６１】
尚試験或いは自動から「切」側に動作選択スイッチＳＷ１１，ＳＷ１２を切り換えると、上記の停電時と同様にリモコンブレーカ２をコンデンサＣ２  の電荷でオフ駆動することができる。
【００６２】
さらに動作中において、リモコンブレーカ２がトリップ動作すると、警報接点ＡＬがオンして無安定マルチバイブレータ回路４が動作して発光ダイオードＬＥＤｃを点滅させ、トリップ動作したことを表示する。またトリップ動作に連動してトリップ接点２０、主接点２３が共にオフし、リモコンブレーカ２の駆動用コイル２１への通電経路を遮断するとともに負荷５の通電をオフして運転を停止させる。
【００６３】
本基本例ではリモコンブレーカ２の動作切換用のリレー接点ｘ１１を持つリレーＸ１  と、停電時や動作選択スイッチＳＷ１１、ＳＷ１２の「切」側への切換時にリモコンブレーカ２をオフ復帰させるために設けたコンデンサＣ２  の充電、放電の経路の切換のためのリレーＸ２  とを別個に設けることにより、従来のアーク発生による動作トラブルを防ぐことができるのである。
【００６４】
尚器体の構成は図７に示す従来例と同じであるため、特に構成の説明及び図示は行わない。
【００６５】
（実施例１）
本実施例では、リレーＸ２  の励磁コイルを、発光ダイオードＬＥＤａ、ＬＥＤｂの通電経路に挿入して消費電流の低減を図ったものである。
【００６６】
つまり本実施例では図２に示すように抵抗Ｒ１５と接続端子(1)との間にダイオードブリッジＤＢ２  を挿入し、このダイオードブリッジＤＢ２  の出力端間にリレーＸ２  の励磁コイルとコンデンサＣ１１の並列回路を接続してある。
【００６７】
但し本実施例の場合、動作選択スイッチＳＷ１１、ＳＷ１２を「切」側から「自動」側或いは「試験」側に切り換えた時に、リレーＸ２  の励磁コイルに励磁電流を流す必要があるため、リレー接点ｘ２１に並列に電源端子(6)から見て逆方向のダイオードＤ３０とコンデンサＣ３０と抵抗Ｒ３０との直列回路を接続し、またこの直列回路にダイオードＤ３１を逆並列接続してある。
【００６８】
従って図に示す如く外部接点ＳＷ１  がオフ状態で動作選択スイッチＳＷ１１、ＳＷ１２が「切」側から「自動」に切り換わった場合には、交流電源ＡＣ→電源端子(5)→動作選択スイッチＳＷ１２→発光ダイオードＬＥＤａ→ダイオードＤ２４→抵抗Ｒ１５→ダイオードブリッジＤＢ２  →リレーＸ２  の励磁コイルとコンデンサＣ１１の並列回路→リレー接点ｘ１１→コンデンサＣ２  →ダイオードＤ５  →リレー接点Ｘ２２→抵抗Ｒ３０→コンデンサＣ３０→ダイオードＤ３０→電源端子(6)→交流電源ＡＣの経路で電流が流れてコンデンサＣ１１を充電し、このコンデンサＣ１１の電圧でリレーＸ２  が動作してリレー接点ｘ２１をオン、リレー接点ｘ２２がオフとなる。リレーＸ２  が動作するまでの間は、交流電源ＡＣ→電源端子(6)→ダイオードＤ３１→ダイオードＤ６  →抵抗Ｒ３  →コンデンサＣ２  →ダイオードＤ４  →動作選択スイッチＳＷ１２→電源端子(5)→交流電源ＡＣの経路で電流が流れてコンデンサＣ２  を上記の経路で電流が流れる場合とは逆方向に充電する。
【００６９】
以上のようにしてリレーＸ２  が動作すると、以後は基本例の場合と同様に外部接点ＳＷ１  のオン、オフに応じてリモコンブレーカ２が反転動作し、上記ダイオードブリッジＤＢ２  及びリレーＸ２  の励磁コイルとコンデンサＣ１１の並列回路を介して発光ダイオードＬＥＤａ又はＬＥＤｂに電流が流れてこれら発光ダイオードＬＥＤａ又はＬＥＤｂの発光表示と同時にリレーＸ２  の動作状態が維持されることになる。
【００７０】
尚コンデンサＣ３０の充電電荷は自己放電させるか若しくは並列に抵抗を接続し放電させる。
【００７１】
また外部接点ＳＷ１  がオン状態で「切」側から「自動」に切り換わった場合や「切」から「試験」に切り換わった場合には、リレーＸ２  が動作する前にリレーＸ１  が動作するため、交流電源ＡＣ→電源端子(5)→動作選択スイッチＳＷ１２→ダイオードＤ３  →リレー接点ｘ１１→接続端子(1)→リモコンブレーカ２内のダイオードＤａ→補助切換スイッチ２２のａ接点→駆動用コイル２１→トリップ接点２０→接続端子(2)→抵抗Ｒ３０→コンデンサＣ３０→ダイオードＤ３０→電源端子(6)→交流電源ＡＣの経路で電流が流れてリモコンブレーカ２が反転動作する。この反転動作により補助切換スイッチ２２がｂ接点に切り換わると、交流電源ＡＣ→電源端子(6)→ダイオードＤ３１→ダイオードＤ６  →抵抗Ｒ３  →コンデンサＣ２  →ダイオードＤ４  →動作選択スイッチＳＷ１２→電源端子(5)→交流電源ＡＣの経路で電流が流れてコンデンサＣ２  を上記の経路で電流が流れる場合とは逆方向に充電する。またリモコンブレーカ２では接続端子(2)→トリップ接点２０→駆動用コイル２１→補助切換スイッチ２２のｂ接点→ダイオードＤｂ→接続端子(1)→ダイオードブリッジＤＢ２  →リレーＸ２  の励磁コイルとコンデンサＣ１１の並列回路→抵抗Ｒ１５→ダイオードＤ２５→発光ダイオードＬＥＤｂ→動作選択スイッチＳＷ１２→電源端子(5)→交流電源ＡＣの経路で電流が流れてコンデンサＣ１１を充電する。このコンデンサＣ１１の電圧でリレーＸ２  が動作することになる。またリレーＸ２  が動作するまでの間において交流電源ＡＣ→電源端子(6)→ダイオードＤ３１→ダイオードＤ６  →抵抗Ｒ３  →コンデンサＣ２  →ダイオードＤ４  →動作選択スイッチＳＷ１２→電源端子(5)→交流電源ＡＣの経路で電流が流れてコンデンサＣ２  を充電する。
【００７２】
このようにして外部接点ＳＷ１  がオン状態で「切」側から「自動」に切り換わった場合や「切」から「試験」に切り換わった場合には、リモコンブレーカ２をオン駆動するとともに、発光ダイオードＬＥＤｂを点灯させ、またリレーＸ２  を動作させて、リレー接点ｘ２１をオン、リレー接点ｘ２２をオフする。
【００７３】
尚リレーＸ２  を動作させるための回路以外は基本例と同様であるため、基本例と同じ構成を有し、同じ動作を為す回路要素には同じ番号、記号を付し、説明は省略する。
【００７４】
（実施例２）
上記実施例１では発光ダイオードＬＥＤａ，ＬＥＤｂの通電路に、ダイオードブリッジＤＢ２  を挿入し、このダイオードブリッジＤＢ２  の出力端間にリレーＸ２  の励磁コイルとコンデンサＣ１１の並列回路を接続したものであるが、本実施例は、発光ダイオードＬＥＤａ、ＬＥＤｂをダイオードブリッジＤＢ２  の辺内に図３に示すように挿入したものである。その他の構成は基本例及び実施例１に準ずるものであるから、基本例及び実施例１と同じ構成を有し、同じ動作を為す回路要素には同じ番号、記号を付し、説明は省略する。
【００７５】
（実施例３）
実施例１では、リレーＸ２  を起動するために、リレー接点ｘ２１に並列に接続した抵抗Ｒ３０、コンデンサＣ３０、ダイオードＤ３０の直列回路と、この直列回路に逆並列接続したダイオードＤ３１とを用いているが、この回路の代わりに本実施例では図４に示すように動作選択スイッチＳＷ１２の「自動」側接点Ｓ２１と「試験」側接点Ｓ２２との接続点と、ダイオードＤ２１のアノードの間に、ダイオードＤ４０、コンデンサＣ４０、抵抗Ｒ４０の直列回路を介して第３のリレーＸ３  の励磁コイルとコンデンサＣ４１との並列回路を接続し、この第３のリレーＸ３  のリレー接点ｘ３１をリレーＸ２  のリレー接点ｘ２１に並列に接続してある。
【００７６】
つまり動作選択スイッチＳＷ１１，ＳＷ１２を「切」側から「自動」側或いは「試験」側に投入すると、コンデンサＣ４１が充電されるまでの短時間リレーＸ３  が動作してそのリレー接点ｘ３１がオンする。このリレー接点ｘ３１のオンによりリレー接点ｘ２１の両端が短時間短絡されることになり、実施例１、２におけるリレー接点ｘ２１に並列に接続した抵抗Ｒ３０、コンデンサＣ３０、ダイオードＤ３０の直列回路と、この直列回路に逆並列接続したダイオードＤ３１との役割をリレー接点ｘ３１がそのオン期間中果たすことになる。
【００７７】
尚その他の動作は実施例１に準ずるため説明を省略する。また基本例及び実施例１と同じ構成を有し、同じ動作を為す回路要素には同じ番号、記号を付し、説明は省略する。
【００７８】
（実施例４）
実施例３は実施例１の構成に対応するものであるが、本実施例は実施例３に於ける発光ダイオードＬＥＤａ、ＬＥＤｂの通電回路の構成を図５に示すように実施例２と同じ構成にしたものであり、その他の構成は実施例３に準ずるため、基本例及び実施例２、３と同じ構成を有し、同じ動作を為す回路要素には同じ番号、記号を付し、説明は省略する。
【００７９】
【発明の効果】
請求項１及び請求項２の発明は第１のリレーの動作よりも第２のリレーの動作が遅延するため、第１のリレーの第１のリレー接点の切り換わり動作時に第１のリレー接点にアークを生じさせる通電路が形成されないため、安定した動作が得られ、また表示回路は発光ダイオードと限流用の抵抗とで構成されるため、回路構成が簡単になり、そのため製作コストが低減され、また装置の小型化も可能となるという効果がある。
【００８０】
さらに、第２のリレーの励磁コイルの励磁回路を表示回路の通電路内に設けているため、表示回路の発光ダイオードの発光電流を励磁電流として使用でき、全体として消費電流を低減できるという効果がある。
【図面の簡単な説明】
【図１】  本発明の基本例の回路図である。
【図２】  本発明の実施例１の回路図である。
【図３】  本発明の実施例２の回路図である。
【図４】  本発明の実施例３の回路図である。
【図５】  本発明の実施例４の回路図である。
【図６】  従来例の回路図である。
【図７】  同上の結線説明図である。
【符号の説明】
２    リモコンブレーカ
Ｘ１    リレー
Ｘ２    リレー
ｘ１１  リレー接点
ｘ２１  リレー接点
ｘ２２  リレー接点
ＬＥＤａ  発光ダイオード
ＬＥＤｂ  発光ダイオード
Ｃ１０      コンデンサ
Ｃ１１      コンデンサ
Ｃ２        コンデンサ
ＳＷ１１，ＳＷ１２  動作選択スイッチ
【図１】
0003674074.tif 000002
【図２】
0003674074.tif 000003
【図３】
0003674074.tif 000004
【図４】
0003674074.tif 000005
【図５】
0003674074.tif 000006
【図６】
0003674074.tif 000007
【図７】
0003674074.tif 000008